(57)【要約】      （修正有）【課題】お祀りしないときには、コンパクトとなり、かつ扉の開閉によるスペースを必要とせず、さらに、お祀りをする際の扉の開放時には、立派な外観を呈する仏壇を提供する。【解決手段】仏壇１は、前面に開口を有する筐体２と、開口の少なくとも一部を閉鎖可能な前扉３を有し、前扉が仏壇の前面に対して略平行に、上下方向に直線的にスライド可能であり、前扉３が上昇位置にあるときに、上昇位置で保持する保持機構５を備える。保持機構は、前扉を上昇方向に付勢する付勢手段（定荷重バネ５１）を有し、付勢手段の付勢力と前扉の重量とがバランスし、前扉を上下の所定の位置で保持できるように構成されている。【選択図】図３
0003196353.tif 000002
【実用新案登録請求の範囲】
【請求項１】
前面に開口を有する筐体と、前記開口の少なくとも一部を閉鎖可能な前扉を有する仏壇であって、
前記前扉が前記仏壇の前面に対して略平行に、上下方向に直線的にスライド可能であり、
前記前扉が上昇位置にあるときに、前記上昇位置で保持する保持機構を備えた仏壇。
【請求項２】
前記保持機構が、前記前扉の上昇方向に付勢する付勢手段であり、前記付勢手段の付勢力と前記前扉の重量とがバランスし、前記前扉を上下の所定の位置で保持できるように構成されている請求項１記載の仏壇。
【請求項３】
前記仏壇が、前記前扉と、前記前扉の下方に設けられた下扉とを備え、前記開口が前記前扉および下扉により閉鎖可能であり、前記下扉が、前記前面の下部側を閉鎖する起立状態と、前記起立状態から水平軸回りに旋回して傾倒する傾倒状態との間で移動可能であり、
前記前扉の下端側に、係合爪を有する係合部材を備え、前記下扉の第１の端部に前記係合爪と係合する被係合部を備え、
前記係合部材は、前記前扉の内面に取り付けられた水平軸回りに回転する磁性体からなる蝶番により旋回可能に構成され、前記蝶番は、前記前扉の内面に固定される第１の羽根と、前記第１の羽根に対して前記蝶番の水平軸を挟んで下方に位置する第２の羽根とを備え、前記第２の羽根は、前記前扉の内面と接した状態から、仏壇の筐体内部側に向かって前記前扉の内面から離れるように、前記第１の羽根に対して旋回可能であり、前記前扉の内面のうち、前記第２の羽根が接する位置に、前記第２の羽根を吸着する磁石が設けられている請求項１または２記載の仏壇。
【請求項４】
前記仏壇が壁掛け式の仏壇である請求項１〜３のいずれか１項に記載の仏壇。
【考案の詳細な説明】
【技術分野】
【０００１】
本考案は仏壇に関する。さらに詳しくは、上下に開閉するスライド式扉を有する仏壇に関する。
【背景技術】
【０００２】
仏壇は、床や棚上などに載置されたり、壁に掛けられるなどして室内に配置されるものである。しかし、観音開き式扉のように左右に開閉する扉を有する仏壇は、扉を開くために左右両側にスペースを必要とする。特に、限られた幅しかないスペースに仏壇を載置する場合、観音開き式扉では扉を開きにくく、また、扉を開き切った状態とすることも困難である。したがって、このように、仏壇の左右両側にスペースがあまりない場合や、扉の開閉に必要なスペースをより省スペース化したいという需要もある。
【考案の概要】
【考案が解決しようとする課題】
【０００３】
そこで、本考案はかかる問題点に鑑みて、お祀りをしないときには、コンパクトとなり、かつ扉の開閉によるスペースを必要としない仏壇の提供を目的とする。
【課題を解決するための手段】
【０００４】
本考案の仏壇は、前面に開口を有する筐体と、前記開口の少なくとも一部を閉鎖可能な前扉を有する仏壇であって、前記前扉が前記仏壇の前面に対して略平行に、上下方向に直線的にスライド可能であり、前記前扉が上昇位置にあるときに、前記上昇位置で保持する保持機構を備えていることを特徴とする。
【０００５】
また、前記保持機構が、前記前扉の上昇方向に付勢する付勢手段であり、前記付勢手段の付勢力と前記前扉の重量とがバランスし、前記前扉を上下の所定の位置で保持できるように構成されていることが好ましい。
【０００６】
また、前記仏壇が、前記前扉と、前記前扉の下方に設けられた下扉とを備え、前記開口が前記前扉および下扉により閉鎖可能であり、前記下扉が、前記前面の下部側を閉鎖する起立状態と、前記起立状態から水平軸回りに旋回して傾倒する傾倒状態との間で移動可能であり、前記前扉の下端側に、係合爪を有する係合部材を備え、前記下扉の第１の端部に前記係合爪と係合する被係合部を備え、前記係合部材は、前記前扉の内面に取り付けられた水平軸回りに回転する磁性体からなる蝶番により旋回可能に構成され、前記蝶番は、前記前扉の内面に固定される第１の羽根と、前記第１の羽根に対して前記蝶番の水平軸を挟んで下方に位置する第２の羽根とを備え、前記第２の羽根は、前記前扉の内面と接した状態から、仏壇の筐体内部側に向かって前記前扉の内面から離れるように、前記第１の羽根に対して旋回可能であり、前記前扉の内面のうち、前記第２の羽根が接する位置に、前記第２の羽根を吸着する磁石が設けられていることが好ましい。
【０００７】
また、前記仏壇が壁掛け式の仏壇であることが好ましい。
【考案の効果】
【０００８】
本考案によれば、お祀りをしないときなど、仏壇を閉鎖した状態では、仏壇をコンパクトにすることができ、かつ扉の開閉によるスペースを従来の仏壇よりも減らすことができる。
【図面の簡単な説明】
【０００９】
【図１】本考案の仏壇の一実施形態を示す斜視図である。
【図２】図１の仏壇の正面図である。
【図３】図２のＡ−Ａ線断面図である。
【図４】図２のＢ−Ｂ線断面図である。
【図５】図２の仏壇の前扉を開放した状態を示す正面図である。
【図６】図５の仏壇の上面図である。
【図７】（ａ）は、図５の仏壇の側面図であり、（ｂ）は、図５の仏壇の背面図である。
【図８】図５のＣ−Ｃ線断面図である。
【図９】（ａ）〜（ｃ）は、一実施形態の仏壇の係合構造を示す図であり、（ａ）は前扉を閉鎖する前の状態を示し、（ｂ）は前扉の係合部材および下扉の被係合部のテーパー部が接触し、係合部材が旋回している状態を示し、（ｃ）は前扉と下扉とが係合した状態を示している。
【考案を実施するための形態】
【００１０】
以下、添付図面を参照し、本考案の仏壇を詳細に説明する。
【００１１】
図１〜図８に示されるように、本実施形態の仏壇１は、前面に開口を有する筐体２と、開口の少なくとも一部を閉鎖可能な前扉３を有し、前扉３の下方には、下扉４が設けられている。仏壇１は、比較的小型な仏壇であり、例えば壁掛け式の仏壇として用いたり、家具や棚の上に載置して用いられる。図１および図２に示されるように、前扉３および下扉４が閉鎖された状態では、仏壇は非常にコンパクトであり、例えば、上下方向Ｘ（図１参照）における高さが１００〜４０ｃｍ、好ましくは８０〜４０ｃｍ、より好ましくは６０〜４０ｃｍである。また、左右方向Ｙ（図１参照）における横幅は、例えば８０〜４０ｃｍ、好ましくは７０〜４０ｃｍ、より好ましくは６０〜４０ｃｍである。また、奥行方向Ｚ（図１参照）における奥行は、例えば、４０〜１５ｃｍ、好ましくは３０〜１５ｃｍ、より好ましくは２５〜１５ｃｍとすることができる。なお、上述した仏壇１の寸法はあくまで一例であり、仏壇１の寸法は上記範囲に限定されるものではない。
【００１２】
本実施形態では、図１に示されるように、仏壇１は、前扉３の閉鎖時に箱型となるように構成されている。筐体２は、背板２１（図３参照）と、上下方向Ｘに沿って設けられ、背板２１に対して略垂直に、かつ奥行方向Ｚに沿って延びる一対の側板２２、２２（図４〜図６参照）と、背板２１および側板２２に対して略垂直に延び、水平方向に延びる天板２３（図３参照）および底板２４（図３参照）とを備えている。本実施形態では、背板２１、側板２２、２２、天板２３、底板２４により、筐体２の前面には開口が形成される。筐体２の内部には、図３および図５に示されるように、須弥壇２５が設けられ、須弥壇２５上には、図示しない仏具が載置される。また、筐体２内の上部側に、須弥壇２５や仏壇１の内部を照らす照明２７を設けても構わない。なお、筐体２の内部構造は、図示した形状、構造に限定されるものではなく、適宜変更が可能である。
【００１３】
筐体２の背板２１（筐体２の外側を向いた背板２１の一方の面）には、仏壇１を壁掛け式にする場合に、図７（ｂ）に示されるように、壁面取付部２８を設けることができ、壁面にビス等により取り付けた掛止部材（図示せず）と、壁面取付部２８とを係合させることにより、壁面状で仏壇１を支持することができる。本実施形態では、壁面取付部２８は、略半円状に切り欠かれ、垂直方向（上下方向Ｘ）の断面がテーパー状に形成された係止部２８ａを有している。係止部２８ａは、壁面に取り付けられた略円形または半円形状の掛止部材に係止され、仏壇１を壁面に取り付けて、壁掛け式の仏壇とすることができる。なお、本考案の仏壇１は、壁掛け式以外に、棚の上等の設置対象に直接設置しても構わない。この場合、図３に示されるように、ネジ穴２９を仏壇１の底板２４に形成し、ネジ穴２９を介して図示しない載置用の脚部または載置台を取り付けて仏壇１を設置対象に設置することができる。また、仏壇１の底板２４を設置対象の面上に接するように構成して、設置対象に直接配置できるようにしてもよい。
【００１４】
筐体２の前面に形成された開口は、前扉３により少なくとも一部が閉鎖される。本実施形態では、開口は前扉３と下扉４により閉鎖される。本実施形態では、開口の上端から、開口の上下方向Ｘで１／２〜２／３が前扉３により閉鎖され、それ以外の部分は下扉４により閉鎖されるように構成されている。下扉４は、筐体２の前面の下部側を閉鎖する起立状態（図１に示される状態）と、起立状態から水平軸４Ｘ（図３参照）回りに旋回して傾倒する傾倒状態（図７（ａ）に示される状態）との間で移動可能である。水平軸４Ｘは、本実施形態では、図３に示されるように、筐体２の側板２２の下部側を貫通して設けられ、下扉４の側部４２に形成された軸受内に挿入されて、下扉４が筐体２に対して旋回可能となっている。しかし、下扉４を筐体２に対して旋回させることができれば、水平軸４Ｘの構造や取付位置は図３に示すものに限定されるものではない。
【００１５】
本実施形態では、下扉４は、図１、図３および図５に示されるように、開口を閉鎖する前面側に設けられた正面部４１と、正面部４１から略垂直に延び、筐体２の側板２２と略平行となるように設けられた側部４２、４２を有し、下扉４の閉鎖時における水平方向の断面が略コ字状となるように形成されている。側部４２は、図１に示されるように、筐体２の側板２２の外側に重なりを持って配置され、一対の側部４２、４２が、筐体２の一対の側板２２を外側から挟み込むように構成されている。側部４２と側板２２との重なりは、本実施形態では、側板２２の奥行方向Ｚの長さの１／２〜１／３程度となるように構成されているが、側部４２の奥行方向Ｚの長さは、上記範囲に限定されるものではない。
【００１６】
前扉３は、筐体２に対してスライド可能に支持されており、上下方向Ｘに直線的にスライドする。より具体的には、前扉３は、図４および図７（ｂ）に示されるように、筐体２内部側を向く内面にガイドレール３１が取り付けられ、筐体２側にガイドレール３１に係合するガイドレール係合部材２６が形成され、ガイドレール係合部材２６とガイドレール３１が係合することにより、上下方向で安定してスライドするように構成されている。なお、ガイドレール３１およびガイドレール係合部材２６は、図示する構造に限定されるものではなく、前扉３が筐体２に対してスライド可能となる他のガイド構造であってもよい。
【００１７】
前扉３は、本実施形態では、図１および図４に示されるように、筐体２の背板２１と略平行に延びる正面部３２と、正面部３２から奥行方向Ｚに沿って略垂直に延び、筐体２の側板２２と略平行となるように設けられた側部３３、３３を有し、前扉３の水平方向の断面が略コ字状となるように形成されている。側部３３は筐体２の側板２２の外側に重なりを持って配置され、一対の側部３３、３３が、筐体２の一対の側板２２を外側から挟み込むように構成されている。側部３３と側板２２との重なりは、本実施形態では、側板２２の奥行方向Ｚの長さの１／２〜１／３程度となるように構成されているが、側部３３の奥行方向Ｚの長さは、側板２２の奥行方向Ｚの長さと同程度としてもよい。また、本実施形態では、前扉３の下端には、前扉３の下端から前方へ突出する突出部３４を有している。この突出部３４は、前扉３を上下動させるときに、指を掛けることができ、前扉３の上下動を容易にしている。なお、前扉３の形状は、本実施形態で示す形状に限定されるものではなく、前扉３が上下方向にスライド可能であれば、他の形状であってもよい。
【００１８】
前扉３は、図３および図８に示されるように、仏壇１の前面に対して略平行に、上下方向にスライド可能であり、図１および図３に示す下降位置と、図５および図８に示す上昇位置との間をスライドする。前扉３が上昇位置にあるときには、前扉３の上端は、筐体２の天板２３よりも上方に位置して、前扉３の下端は、筐体２内部の仏具が見える位置まで移動している。本実施形態では、上昇位置において、前扉３の上端が、天板２３の天面から、前扉３の高さ方向の長さの１／２以上、好ましくは１／２〜２／３だけ高い位置となるように構成されている。前扉３を上側にスライドさせて、図５に示される上昇位置にあるときには、図１に示される閉鎖状態の仏壇と比較して、前扉３がスライドした分だけ上下方向の高さが高くなり、仏壇として大きく立派な外観を呈する。一方、図５に示される状態から、前扉３を閉鎖したときには、仏壇としては非常にコンパクトとなる。このように、本考案の仏壇１は、仏壇１を閉鎖した状態においては、仏壇１が非常にコンパクトになる一方で、前扉３は仏壇の左右方向に旋回せずに上側へスライドするので、左右方向にスペースが必要なく、仏壇１の上側に空いたスペースを有効に活用することができる。そして、従来の仏壇のような、扉の旋回に必要な仏壇前方のスペースや、仏壇の左右両側のスペースは本考案の仏壇１では不要となるため、その分だけ、仏壇１の筐体２を大きくすることができ、充分な内部スペースをとることができる。したがって、仏壇１の充分な内部スペースにより、仏具をゆったりと配置してお祀りすることができる。
【００１９】
本実施形態では、図５に示される、前扉３が上昇位置までスライドした上昇位置にあるときに、前扉３を上昇位置で保持する保持機構５を備えている。保持機構５は、前扉３が上昇したときに、前扉３の重量により、前扉３が下方へ落下しないように保持する。保持機構５は、上昇位置で前扉３と、筐体２（または筐体２に設けられた他の部材）とが係合することなどにより、前扉３を上昇位置で保持してもよく、保持機構の構造は特に限定されないが、本実施形態では、前扉３の上昇方向に付勢する付勢手段が用いられている。付勢手段としては、たとえば、図３に示されるように、例えば定荷重バネ５１を用いることができる。本実施形態では、定荷重バネ５１は、筐体２の天板２３の下部に、水平方向の（図１中、左右方向Ｙに設けられた）軸を有するドラムの回りに設けられ、ドラムに巻き付けられたバネの先端は、図３に示されるように、前扉３の内面にネジ等の固定手段により取り付けられている。定荷重バネ５１の付勢力は、前扉３の重量とバランスし、前扉３を上下の所定の位置で保持できるように構成されている。したがって、このような付勢手段を設けた場合は、前扉３を完全に上げきらない状態で手を離してしまった場合に、前扉３がその重量で落下することがなく、安全に前扉３を開放することができる。また、前扉３を閉めるときに、前扉３を下側にスライドさせたときに、急激に落下したりすることがなく、安全かつ静粛に前扉３を閉鎖することができる。
【００２０】
また、本実施形態では、このような付勢手段に加えて、前扉３をより確実に上昇位置で保持するために、図３および図８に示されるように、筐体２の前扉３と対向する位置に、筐体側磁石Ｍ１が設けられ、前扉３に筐体側磁石Ｍ１と吸着可能な前扉側磁石Ｍ２が設けられている。筐体側磁石Ｍ１と前扉側磁石Ｍ２の位置は、前扉３が上昇位置にあるときに互いに対向する位置にあれば、天板２３等に設けてもよく、特に設ける位置は限定されないが、本実施形態では、筐体側磁石Ｍ１は、図５に示されるように、側板２２の前面側の端面の上部に設けられ、前扉側磁石Ｍ２は、図３および図８に示されるように、前扉３の正面部３２の、筐体側磁石Ｍ１の幅方向（左右方向Ｙ）における位置に対応した位置に設けられている。このように、前扉３が上昇位置にあるときに、図８に示されるように、筐体側磁石Ｍ１と前扉側磁石Ｍ２とが対向するように配置されているため、前扉３を上昇位置でより確実に保持することができる。筐体側磁石Ｍ１と前扉側磁石Ｍ２は、接触するように構成しても構わないが、筐体側磁石Ｍ１と前扉側磁石Ｍ２とはわずかなクリアランスを持って離間していてもよい。筐体側磁石Ｍ１と前扉側磁石Ｍ２とが離間はしているが、磁石の吸着力は働くように構成した場合には、前扉３を上下動させたときに磁石同士が摺動せず、静粛性を高めることができ、前扉３の上下動の動きも軽くなる。
【００２１】
また、前扉３の上昇位置だけでなく、前扉３の下降位置においても磁石の吸着力により保持することができる。例えば、図３に示されるように、前扉３の正面部３２の上方で、筐体側磁石Ｍ１の幅方向における位置に対応した位置に、第２の前扉側磁石Ｍ３を設けることにより、前扉３の下降位置において、筐体側磁石Ｍ１と第２の前扉側磁石Ｍ３とが対向して、前扉３を下降位置で保持することができ、不用意に前扉３が開放することを抑制することができる。同様に、下扉４が起立状態にあるときに、磁石により筐体２に保持することもできる。本実施形態では、図５に示されるように、筐体２に第２の筐体側磁石Ｍ４を設け、下扉４が起立状態にあるときに、第２の筐体側磁石Ｍ４に対向する位置に下扉側磁石Ｍ５（図６参照）を設けることにより、下扉４を起立状態で保持することができる。本実施形態では、図５に示されるように、第２の筐体側磁石Ｍ４は、筐体２の側板２２の前面側の端面に設けられ、下扉側磁石Ｍ５は、図６に示されるように、下扉４の正面部４１に設けられている。しかしながら、第２の筐体側磁石Ｍ４および下扉側磁石Ｍ５は、互いに対向する位置にあれば、他の位置にあっても構わない。
【００２２】
本実施形態の仏壇１は、前扉３と下扉４の２つの扉から構成され、前扉３はスライドし、下扉４は旋回可能に構成されている。本実施形態では、前扉３と下扉４とが開口を閉鎖しているときに係合する係合構造を有している。この係合構造は、図３および図９（ａ）〜（ｃ）に示されるように、下扉４の起立状態において上側となる第１の端部４ａ側と、前扉３の下端３ａ側とが係合するように構成されている。このように前扉３と下扉４とが係合することにより、前扉３のみを開放しようとしても、前扉３が上側にスライドしないように構成されている。したがって、前扉３を開放しようとする場合、下扉４を開放した後に前扉３の開放が可能になる。特に、前扉３が定荷重バネ５１等の付勢手段により、動きを軽くした場合には、前扉３は比較的簡単に上に移動してしまうため、このような係合構造により、閉鎖状態を確実に維持することができる。また、これにより、たとえば不意に前扉３を上側にスライドさせようとする力が加わったときに、前扉３が上側にスライドすることがなく、不用意な前扉３の開放を防止することができ、たとえば筐体２の天板２３の天面を掃除しているときなどに前扉３が上に上がってぶつかってしまうといった危険性を減らすことができる。
【００２３】
係合構造としては、本実施形態では、図３および図９（ａ）〜（ｃ）に示されるように、前扉３の下端３ａ側に、係合爪３５ａを有する係合部材３５を備え、下扉４の第１の端部４ａに係合爪３５ａと係合する被係合部４３を備えている。本実施形態では、係合爪３５ａは爪の先端が筐体２の前方側に向かって突出し、被係合部４３は、下扉４の正面部４１の内面側から筐体２の背板２１側に向かって突出した爪を有し、係合爪３５ａと被係合部４３とが係合するように構成されている。
【００２４】
係合部材３５は、図９（ａ）〜（ｃ）に示されるように、前扉３の内面に取り付けられた水平軸６２回りに回転する磁性体からなる蝶番６により旋回可能に構成され、蝶番６は、前扉３の内面に固定される第１の羽根６１と、第１の羽根６１に対して蝶番６の水平軸６２を挟んで下方に位置する第２の羽根６３とを備えている。これにより、第２の羽根６３は、前扉３の内面と接した状態（図９（ａ）の状態）から、仏壇１の筐体２内部側に向かって前扉３の内面から離れた状態（図９（ｂ）の状態）まで、第１の羽根６１に対して旋回可能となっている。また、前扉３の内面のうち、第２の羽根６３が接する位置には、第２の羽根６３を吸着する蝶番吸着用磁石Ｍ６が設けられている。
【００２５】
このように係合部材３５を蝶番６により旋回可能とし、蝶番６を蝶番吸着用磁石６により吸着することにより、以下のような動作が可能になる。まず、仏壇１の前扉３と下扉４が開放した状態から、仏壇１を閉鎖したいときには、まず、下扉４を起立状態となるように閉鎖する。この下扉４の起立状態は、下扉側磁石Ｍ５と、第２の筐体側磁石Ｍ４とが吸着しあうことにより保持することができる。下扉４を起立状態とした後、前扉３を下側にスライドさせて閉鎖する。この前扉３の閉鎖時において、図９（ａ）に示される状態から、図９（ｂ）に示される状態にかけて、前扉３の下端３ａが下扉４の第１の端部４ａに近付くと、係合部材３５の係合爪３５ａの下端が、被係合部４３に接触する。係合爪３５ａおよび被係合部４３はともに、仏壇１の前方側が高く、仏壇１の後方側が低くなるように傾斜したテーパー部を有しており、係合爪３５ａのテーパー部、被係合部４３のテーパー部とが接触した状態で、前扉３をそのまま下方にスライドしていくと、係合部材３５は、蝶番吸着用磁石Ｍ６と第２の羽根６３との間の吸着力に抗して、図９（ｂ）に示されるように、蝶番６の水平軸６２回りに第２の羽根６３とともに回転する。さらに前扉３が下方へスライドして係合爪３５ａが被係合部４３を乗り越えると、図９（ｃ）に示されるように、第２の羽根６３が蝶番吸着用磁石Ｍ６の磁力により前扉３の内面側に吸着されて、係合部材３５は被係合部４３と当接する前の状態（図９（ａ）の状態）まで戻り、係合部材３５と被係合部４３との間の係合が完了する。これにより、前扉３と下扉４とが係合し、簡単な操作で前扉３と下扉４とを閉鎖状態で維持することができる。
【００２６】
前扉３および下扉４を開放したいときは、下扉４をまず起立状態から傾倒状態まで旋回させ、係合部材３５と被係合部４３との間の係合を解除した後、前扉３を上方へスライドさせることにより、仏壇１の開口を開放させることができる。
【００２７】
なお、上記実施形態は、あくまで例示であって、各構成要素について、種々の変更が可能であり、本考案は、上記実施形態に限定されるものではない。例えば、前扉３の上下方向の移動は、ガイドレール３１とガイドレール係合部材２６とが係合することによりガイドされるものを示したが、前扉３と筐体２との間のガイド方式は、上記実施形態に限定されるものではない。たとえば筐体２に前扉３の移動方向に沿ってガイド溝を設け、そのガイド溝に沿って移動するピンを前扉３に設けてガイドするなど、他のガイド方式であっても構わない。また、前扉３は、上記実施形態では、正面部３２と、一対の側部３３を有した、水平方向の断面が略コ字状のものが示されているが、前扉３の形状は、平板状であっても構わないし、他の形状であってもよい。同様に、下扉４も平板状等、他の形状であってもよい。また、前扉３および下扉４は、筐体２を外側から覆うような形で筐体２の開口を閉鎖しているが、前扉３および下扉４は、閉鎖時に、筐体２の側板２２の間に挟まれるように構成しても構わない。また、上記実施形態では、前扉３と下扉４とにより開口を閉鎖するものを示したが、下扉４は必ずしも設ける必要はない。
【符号の説明】
【００２８】
１  仏壇
２  筐体
２１  背板
２２  側板
２３  天板
２４  底板
２５  須弥壇
２６  ガイドレール係合部材
２７  照明
２８  壁面取付部
２９  ネジ穴
３  前扉
３ａ  前扉の下端
３１  ガイドレール
３２  正面部
３３  側部
３４  突出部
３５  係合部材
３５ａ  係合爪
４  下扉
４ａ  下扉の第１の端部
４１  正面部
４２  側部
４３  被係合部
５  保持機構
５１  定荷重バネ
６  蝶番
６１  第１の羽根
６２  蝶番の水平軸
６３  第２の羽根
Ｍ１  筐体側磁石
Ｍ２  前扉側磁石
Ｍ３  第２の前扉側磁石
Ｍ４  第２の筐体側磁石
Ｍ５  下扉側磁石
Ｍ６  蝶番吸着用磁石
【図１】
0003196353.tif 000003
【図２】
0003196353.tif 000004
【図３】
0003196353.tif 000005
【図４】
0003196353.tif 000006
【図５】
0003196353.tif 000007
【図６】
0003196353.tif 000008
【図７】
0003196353.tif 000009
【図８】
0003196353.tif 000010
【図９】
0003196353.tif 000011